(57)【要約】【課題】  花束または鉢植えを運搬するための袋であって、水漏れを発生せず且つ安価なショッピングバッグを提供すること。【解決手段】  下側に底部が形成され、前記底部から上方に向かい前記底部を囲むように側面が形成され、上側が開口する本体袋と、前記本体袋の内側に収容され、前記本体袋の底部上に載置されることによって二重構造を成す底面と、前記底面から上方に向かい前記底面を囲むように形成される前記本体袋の側面に沿って配置されて二重構造を成す側面とを有し、上側が開口し、漏水防止構造である内袋と、を備えることを特徴とする。【選択図】      図１
0003101590.tif 000002
【実用新案登録請求の範囲】
【請求項１】
下側に底部が形成され、前記底部から上方に向かい前記底部を囲むように側面が形成され、上側が開口する本体袋と、
前記本体袋の内側に収容され、前記本体袋の底部上に載置されることによって二重構造を成す底面と、前記底面から上方に向かい前記底面を囲むように形成される前記本体袋の側面に沿って配置されて二重構造を成す側面とを有し、上側が開口し、漏水防止構造である内袋と、を備えることを特徴とするショッピングバッグ。
【請求項２】
前記本体袋の底部は四角形であり、
前記内袋は、１枚のプラスチックフィルムに、前記本体袋の底部に対応する四角形の底面と、該底面の各辺の外側に側面と、各隣り合う側面の間に襠面とが展開され、前記側面が前記底面から上方に向かい前記底面を囲むように折り曲げつつ前記襠面を折りたたみ、前記折りたたまれた襠面をいずれかの側面に熱溶着して袋状に形成されたものである請求項１に記載のショッピングバッグ。
【考案の詳細な説明】
【技術分野】
【０００１】
本考案は、小売用の花束や鉢植えを運搬する場合に使用されるショッピングバッグに関する。
【背景技術】
【０００２】
花束や鉢植えを運搬するための袋は、通常、小売側が用意し、花束や鉢植えの購入にともないサービスとして顧客に提供するものである。従って、安価なものが望まれ、材料費を抑えるために最低限の材料を用い、製造コストを抑えるために、なるべく製造工程を少なくするようにして製作される。その結果、上記のような袋は、花束や鉢植えに対し強度は十分なものの、その他、例えば水漏れ対策などは考慮されていない場合がある。
【０００３】
また、花束を運搬する場合、切花の鮮度を保持するための対策として、通常は、束ねた切花の根元部分に含水状態の脱脂綿やガーゼなどを巻いたり、小型プラスチック容器に水を入れて根元をその中に差し込んだりするようにして花束を作成する。一方、小売用の鉢植えの場合にも、鉢の中の土が乾燥しないようにするための対策として、運搬の際に、水を与える。
【０００４】
そして、上述のような袋に鮮度対策がなされた花束や乾燥対策がなされた鉢植えを入れて運搬すると、花束や鉢植えからしみだした水が袋から漏れる場合がある。
【０００５】
そこで、上記水漏れ防止に加え、包装作業を簡単に行うための切花用包装袋がある（例えば、特許文献１。）。
【０００６】
【特許文献１】特開平５−３２２８３号公報（段落〔０００９〕−〔００１７〕、第１図及び第２図）
【考案の開示】
【考案が解決しようとする課題】
【０００７】
しかしながら、特許文献１に記載の切花用包装袋は、上述のような水漏れを防止できるものの切り花を包装するための包装袋であり運搬用の袋ではなく、切花用であって鉢植えには使用できない。
【０００８】
本考案は、上記事情に鑑みてなされたものであり、花束または鉢植えを運搬するための袋であって、水漏れを発生せず且つ安価なショッピングバッグを提供することにある。
【課題を解決するための手段】
【０００９】
上記目的を達成するために、請求項１記載の考案は、下側に底部が形成され、前記底部から上方に向かい前記底部を囲むように側面が形成され、上側が開口する本体袋と、前記本体袋の内側に収容され、前記本体袋の底部上に載置されることによって二重構造を成す底面と、前記底面から上方に向かい前記底面を囲むように形成される前記本体袋の側面に沿って配置されて二重構造を成す側面とを有し、上側が開口し、漏水防止構造である内袋と、を備えることを特徴としている。
【００１０】
また、請求項２記載の考案は、前記本体袋の底部は四角形であり、前記内袋は、１枚のプラスチックフィルムに、前記本体袋の底部に対応する四角形の底面と、該底面の各辺の外側に側面と、各隣り合う側面の間に襠面とが展開され、前記側面が前記底面から上方に向かい前記底面を囲むように折り曲げつつ前記襠面を折りたたみ、前記折りたたまれた襠面をいずれかの側面に熱溶着して袋状に形成されたものであることを特徴としている。
【考案の効果】
【００１１】
請求項１に記載の考案によれば、本体袋に内袋を収容することにより、漏水防止構造とされた内袋を収容することにより本体袋の底部及び該底部近傍の本体袋の側面を二重構造とし、内袋が漏水防止構造であるから、花束または鉢植えを運搬する際に水漏れを発生せず、且つ、内袋を収容するだけであるから安価にショッピングバッグを提供できる。
【００１２】
請求項２に記載の考案によれば、漏水防止構造の内袋を容易に且つ安価に提供できる。
【考案を実施するための最良の形態】
【００１３】
まず、図面を参照して本考案の一実施の形態を説明する。図１は、本考案のショッピングバッグの一実施の形態を示す斜視図である。図１に示すように、ショッピングバッグ１は、上部が開口する本体袋３と、前記本体袋３の内側に内袋２が収容され、前記本体袋３の底部３２及び底部３２近傍の側面部３１とが二重構造（図１の斜線部）となっている。
【００１４】
図２は、本体袋３の構成を説明するための図であり、図２によれば、本体袋３には、柔軟性、防水性のあるプラスチックフィルムが使用され、下側には底部３２が形成され、底部３２から上方に向かい底部３２を囲むように逆台形（逆台形にした理由は後述する）をした４つの側面部３１（側面）が形成され、上側は開口部３０である。４つの側面部３１で筒形状をなしているが、筒の方向に少なくとも１箇所が例えば熱溶着で接合されている。また、底部３２は、逆台形をした４つの各側面部３１の下側に設けた襠３２１（図２では、手前側の襠を破線で示し、奥側の襠は、図が見にくくならないように省略した。）を折り合わせ、例えば、運搬対象物（例えば、鉢植えや花束）を保持するためにその重量に耐えるように、各襠３２１を熱溶着で接合され形成されている。さらに、取っ手４は、紐、或いは、例えば塩ビ等のチューブが使用され、対向する１対の各側面部３１の開口部３０側に、例えばリベット４１等を用いて固着されている。また、図示しないが、底部３２に、例えば、厚紙やプラスチック板等からなる補強板を備えてもよく、補強板を備えれば、運搬対象物の重量により底部３２が変形しないので運搬時に運搬対象物を安定させることができる。
【００１５】
以上から、本体袋３は、運搬対象物の保持を主目的に製作されていて、特に各部の接合は、強度は考慮されているものの、漏水対策となるような密閉性を有するように接合することなどは考慮されない。従って、製造工程が少なく、安く製作することが可能である。
【００１６】
また、上述のプラスチックフィルムとしては、ポリエチレン、延伸ポリプロピレン、無延伸ポリプロピレン、ナイロン、ポリエチレンテレフタレート等からなる樹脂フィルム、或いはこれらの樹脂フィルムを積層してなる積層フィルムが使用される。
【００１７】
図３は、内袋２を構成するプラスチックフィルムの展開図である。図３に示すように、内袋２は、柔軟性、防水性のある１枚のプラスチックフィルムから形成される。プラスチックフィルムとしては、上述の本体袋３と同様の材料が使用できる。また、内袋２の形状は、図１に示したように、本体袋３の底部３２上に載置されることによって二重構造を成す底面２２と、底面２２から上方に向かい底面２２を囲むように形成される本体袋３の側面部３１に沿って配置されて二重構造を成す側面２１とからなり、上側が開口するように形成されている。また、図３に破線で示すように、１枚のプラスチックフィルムに、中央部分に本体袋３の底部３２に対応する底部３２よりわずかに小さい四角形の底面２２、底面２２の各辺から外側に台形の側面２１、各側面の間に襠面２３が展開され、図１に示した形状となるように、図４に示すように、側面２１が底面２２から上方に向かい底面２２を囲むように折り曲げつつ襠面２３を折りたたみ、折りたたまれた襠面２３をいずれかの側面２１に熱溶着して袋状の内袋２が形成される。このように、内袋２は、１枚のプラスチックフィルムを折り曲げ折りたたむことにより袋状にし、繋ぎ目のない漏水防止構造を容易に実現している。従って、内袋２から外へ水漏れをすることがない。また、内袋２を本体袋３に収容した場合に、底面２２及び側面２１が、それぞれ本体袋３の底部３２及び側面部３１に内接するような形状にすることが望ましい。また、本実施の形態では、上述のような漏水防止構造を一例として示したが、各面を熱溶着等で接合して形成する構成とし、各繋ぎ目を確実に塞ぐことにより漏水防止構造にするものでもよい。また、上述の実施の形態では、本体袋３の底部３２及び内袋２の底面２２を四角形としたが、円形や他の多角形であってもよい。
【００１８】
このように、内袋２を漏水防止構造とすることにより、本体袋３に漏水防止を考慮しなくても、内袋２を収容するだけで容易に漏水防止対策ができる。従って、漏水対策がなされたショッピングバッグを安く提供できるのである。
【００１９】
次に、ショッピングバッグ１を使用した一例を説明する。図５は、ショッピングバッグ１で、運搬対象物として鉢植えを運搬する場合の例を示すものである。図５に示すように、鉢植えをショッピングバッグ１に収容すると、鉢の底は、内袋２の内側に収まることになる。従って、運搬時に、鉢植えに水を与え、鉢から余分な水分が漏れ出したとしても、漏れ出した水が内袋２から外へもれることが無い。また、鉢は上に向かい広がる形状をしているし、花束は、根元部分が１つにまとめられて、根元から花の方向に向かい広がる形状をしているので、上述のように本体袋３の側面部３１を逆台形にすることにより、本考案のショッピングバッグは、鉢植えや花束を収容するのに適した形状のショッピングバッグでとなっている。
【００２０】
また、本体袋３及び内袋２を柔軟性のあるプラスチックフィルムで形成することにより、図６に示すように、内袋２を本体袋３に収容したまま、取っ手４が固着されていない対向する各側面部３１を内側に折り込み、取っ手４が固着されている対向する各側面部３１を合わせ、更に、底部３２を側面部３１に合わせるようにして、折りたたむことができるので、収納が容易である。
【図面の簡単な説明】
【００２１】
【図１】本考案のショッピングバッグの一実施の形態を示す斜視図である。
【図２】図１に示したショッピングバッグに係る本体袋の構成を示す図である。
【図３】図１に示したショッピングバッグに係る内袋を構成するプラスチックフィルムの展開図である。
【図４】図３に示したプラスチックフィルムから内袋を形成する手順を説明するための図である。
【図５】本考案のショッピングバッグに、鉢植えを収容した状態の一例を示す図である。
【図６】本考案のショッピングバッグを折りたたんだ状態を示す図である。
【符号の説明】
【００２２】
１  ショッピングバッグ
２  内袋
２１  側面
２２  底面
２３  襠面
３  本体袋
３０  開口部
３１  側面部
３２  底部
４  取っ手
【図１】
0003101590.tif 000003
【図２】
0003101590.tif 000004
【図３】
0003101590.tif 000005
【図４】
0003101590.tif 000006
【図５】
0003101590.tif 000007
【図６】
0003101590.tif 000008